(57)【特許請求の範囲】
【請求項１】
台形の第１プレートと、
前記第１プレートの幅広端に前記第１プレートに対して直交するように連結された第２プレートと、
前記第１プレートの幅狭端に前記第１プレートに対して直交するように連結された第３プレートと、
前記各プレートによって構成される空間において、これらのプレートの中央軸線に沿って配置されたリブプレートとを備え、
前記第１プレートの上面に、中央軸線に沿って延びた段差が設けられていることを特徴とする外張断熱建築物用ブラケット。
【請求項２】
前記第３プレートの左右端に前記第１プレートから遠ざかる方へ延びるように間隔を隔てて取り付けられた一対のプレートをさらに備えていることを特徴とする請求項１に記載された外張断熱建築物用ブラケット。
【請求項３】
前記請求項１又は２の外張断熱建築物用ブラケットを構造用面材の所定箇所に固定する工程と、
隣接する前記外張断熱建築物用ブラケット間に断熱材落下防止材を水平に掛け渡す工程と、
前記外張断熱建築物用ブラケットの端部に胴縁材および外壁材を固定することによって形成される空隙に、断熱材を吹き込む工程と、
を含むことを特徴とする外張断熱建築物施工方法。
【発明の詳細な説明】
【技術分野】
【０００１】
本発明は一般に、外張断熱建築物用ブラケットおよび外張断熱建築物施工方法に関するものである。より詳細には、本発明は、断熱材層の厚みが２００ｍｍ〜３００ｍｍ程度であっても使用可能な外張断熱建築物用ブラケットおよび外張断熱建築物施工方法に関するものである。本発明の外張断熱建築物用ブラケットは、屋根断熱用ブラケットとしても使用することができる。本発明における建築物には、木造、軽量鉄骨造、スチールハウス等の戸建住宅や共同住宅が含まれる。
【背景技術】
【０００２】
熱橋が小さく結露が発生しにくい等の利点を有する外張断熱工法が注目されており、外張断熱工法に用いられる種々の取付具が提案されているが、縦張り形式のサイディングに適したものが見受けられないため、本発明者は、通気空間を確保しつつ縦張り形式のサイディングに使用するのに適した新規な取付具を提案した（特許文献１参照）。
【先行技術文献】
【特許文献】
【０００３】
【特許文献１】特許第３９４９０３８号公報
【発明の概要】
【発明が解決しようとする課題】
【０００４】
上記の取付具は、幸いにして好評を博したものの、近年、住宅等の断熱規定が相次いで改定され、従来よりも断熱材層が厚いものが推奨されるようになってきた。すなわち、従来は寒冷地であっても外張断熱建築物の断熱材層の厚みは１００ｍｍ程度のものが普通であったが、断熱材層の厚みが２００ｍｍ〜３００ｍｍ等のものが推奨されるようになってきた。一方、断熱材層が厚くなるにつれて、断熱材及び外壁材自体の重量等に起因する縦揺れや水平加力（地震力）に起因する横揺れが大きくなるが、このような増大した縦揺れや横揺れに対して強固に支持することができる取付具に対する要請が強まってきた。
【０００５】
本発明は、このような状況に鑑みて開発されたものであって、幅厚の断熱材を収容することができる外張断熱建築物用ブラケットおよび外張断熱建築物施工方法を提供することを目的としている。
【課題を解決するための手段】
【０００６】
本願請求項１に記載された外張断熱建築物用ブラケットは、台形の第１プレートと、前記第１プレートの幅広端に前記第１プレートに対して直交するように連結された第２プレートと、前記第１プレートの幅狭端に前記第１プレートに対して直交するように連結された第３プレートと、前記各プレートによって構成される空間において、これらのプレートの中央軸線に沿って配置されたリブプレートとを備え、前記第１プレートの上面に、中央軸線に沿って延びた段差が設けられていることを特徴とするものである。
【０００７】
本願請求項２に記載された外張断熱建築物用ブラケットは、前記請求項１のブラケットにおいて、前記第３プレートの左右端に前記第１プレートから遠ざかる方へ延びるように間隔を隔てて取り付けられた一対のプレートをさらに備えていることを特徴とするものである。
【００１０】
本願請求項５に記載された外張断熱建築物施工方法は、前記請求項１又は２の外張断熱建築物用ブラケットを構造用面材の所定箇所に固定する工程と、隣接する前記外張断熱建築物用ブラケット間に断熱材落下防止材を水平に掛け渡す工程と、前記外張断熱建築物用ブラケットの端部に胴縁材および外壁材を固定することによって形成される空隙に、断熱材を吹き込む工程とを含むことを特徴とするものである。
【発明の効果】
【００１１】
本発明の外張断熱建築物用ブラケットによれば、一方の端部が幅広に形成されているので、断熱材層が厚い場合であっても、鉛直力（外壁材や断熱材の重量）に対しても水平力（地震力など）に対しても強固に支持することが可能である。また、ブラケットの他方の端部に、縦胴縁材を保持するための部分や横胴縁材を保持するための部分を設けることにより、縦胴縁材や横胴縁材を堅固に支持することができるため、使い勝手が向上する。また、ブラケットの第１プレートに段差を設けることにより、２個のブラケットを組み合わせて使用する場合に、ズレないようにすることができる。また、本発明の外張断熱建築物用ブラケットは、ビス等のみを使用した場合と比較して強固な構造体を提供することができる。また、本発明の外張断熱建築物用ブラケットは、合成樹脂材料で形成されているので、熱橋（ヒートブリッジ）を回避することができる。本発明の外張断熱建築物用は、単一で使用してもよいし、２個を組み合わせて使用してもよく、応用範囲が広い。本発明の外張断熱建築物用ブラケットは、壁部のみならず、屋根部に対しても使用できる。さらに、本発明の外張断熱建築物施工方法では、吹込工法を用いる場合に、断熱材の施工効率が向上するとともに、水平耐力が増加するという効果も得られ、また断熱材の自重による沈下を軽減し所期の断熱性能を保持する効果も得られる。
【図面の簡単な説明】
【００１２】
【図１】本発明の第１の実施の形態に係る外張断熱建築物用ブラケットの斜視図である。
【図２】図２（ａ）は図１の外張断熱建築物用ブラケットの正面図、図２（ｂ）は図２（ａ）の線２ｂ−２ｂに沿った図、図２（ｃ）は図２（ａ）の線２ｃ−２ｃに沿った図、図２（ｄ）は図１の外張断熱建築物用ブラケットの第２プレートの変形形態を示した図２（ｂ）と同様な図である。
【図３】図１の外張断熱建築物用ブラケットの使用状態を示した斜視図である。
【図４】図４（ａ）は図１の外張断熱建築物用ブラケットの使用状態を示した側断面図、図４（ｂ）は図４（ａ）の線４ｂ−４ｂに沿って見た図である。
【図５】本発明の第２の実施の形態に係る外張断熱建築物用ブラケットの斜視図である。
【図６】図６（ａ）は図５の外張断熱建築物用ブラケットの正面図、図６（ｂ）は図６（ａ）の線６ｂ−６ｂに沿った図、図６（ｃ）は図６（ａ）の線６ｃ−６ｃに沿った図である。
【図７】本発明の第３の実施の形態に係る外張断熱建築物用ブラケットの斜視図である。
【図８】図８（ａ）は図７の外張断熱建築物用ブラケットの正面図、図８（ｂ）は図８（ａ）の線８ｂ−８ｂに沿った図、図８（ｃ）は図８（ａ）の線８ｃ−８ｃに沿った図である。
【図９】本発明の第４の実施の形態に係る外張断熱建築物用ブラケットの斜視図である。
【図１０】図１０（ａ）は図９の外張断熱建築物用ブラケットの正面図、図１０（ｂ）は図１０（ａ）の線１０ｂ−１０ｂに沿った図、図１０（ｃ）は図１０（ａ）の線１０ｃ−１０ｃに沿った図である。
【図１１】本発明の外張断熱建築物用ブラケットを組み合わせて使用する例を示した斜視図である。
【図１２】吹込工法を用いる場合に外張断熱建築物用ブラケットを利用した例を示した図である。
【図１３】本発明の外張断熱建築物用ブラケットを屋根の施工に使用する例を示した一連の図である。
【発明を実施するための形態】
【００１３】
次に図面を参照して、本発明の好ましい実施の形態について詳細に説明する。図１及び図２において全体として参照符号１０で示される本発明の第１の実施の形態に係る外張断熱建築物用ブラケットは、台形の第１プレート１２と、第１プレート１２の幅広端に第１プレート１２に対して直交するように連結された第２プレート１４と、第１プレート１２の幅狭端に第１プレート１２に対して直交するように（換言すると、第２プレート１４に対して平行になるように）連結された第３プレート１６とを備えている。
【００１４】
外張断熱建築物用ブラケット１０は又、第１プレート１２と第２プレート１４と第３プレート１６とによって構成される空間において、これらのプレート１２、１４、１６の中央軸線（即ち、各プレートの幅の中央）に沿って配置されたリブプレート１８を備えている。リブプレート１８は、外張断熱建築物用ブラケット１０全体を補強する役目を果たす。なお、図示されているリブプレート１８は台形状であるが、リブプレート１８を他の形状に形成してもよい。
【００１５】
第２プレート１４は、全体としてＴ字形の形状を有しており、第２プレート１４には、外張断熱建築物用ブラケット１０を支持部材に固定するための複数のビス用孔１４ａが設けられている。第３プレート１６は、矩形の形状を有している。なお、第２プレート１４は、図２（ｄ）に示されるように、不等辺六角形の形状にしてもよい。
【００１６】
外張断熱建築物用ブラケット１０は好ましくは、プラスチック等の合成樹脂材料で一体成形されている。
【００１７】
図３及び図４を参照して、以上のように構成された外張断熱建築物用ブラケット１０の使用について説明する。まず、構造用面材の柱又は間柱が位置する個所に外張断熱建築物用ブラケット１０をビスで固定する。次いで、外張断熱建築物用ブラケット１０の第２プレート１４と第３プレート１６との間の空間に断熱材を配置する（図３では、図面の簡単化のため、断熱材は図示されていない）。次いで、外張断熱建築物用ブラケット１０の第３プレート１６に透湿防水シートを取り付けた後に縦胴縁材をビスで固定する。このようにして取り付けられた縦胴縁材に外壁材を固定する。
【００１８】
図５及び図６は、本発明の第２の実施の形態に係る外張断熱建築物用ブラケットを示した図である。図５において全体として参照符号２０で示される本発明の第２の実施の形態に係る外張断熱建築物用ブラケットは、一方の側に、縦胴縁材を保持するための部分を備えている点を除いて、外張断熱建築物用ブラケット１０と実質的に同一の構成を有している。
【００１９】
すなわち、外張断熱建築物用ブラケット２０は、台形の第１プレート２２と、第１プレート２２の幅広端に第１プレート２２に対して直交するように連結された第２プレート２４と、第１プレート２２の幅狭端に第１プレート２２に対して直交するように連結された第３プレート２６と、第３プレート２６の左右端に第１プレート２２から遠ざかる方へ延びるように間隔を隔てて取り付けられた一対のプレート２７と、第１プレート２２と第２プレート２４と第３プレート２６とによって構成される空間においてこれらのプレート２２、２４、２６の中央軸線に沿って配置されたリブプレート２８とを備えている。第３プレート２６と一対のプレート２７とによって構成されるコ字形の空間は、縦胴縁材を保持するための部分となる。
【００２０】
図７及び図８は、本発明の第３の実施の形態に係る外張断熱建築物用ブラケットを示した図である。図７において全体として参照符号３０で示される本発明の第３の実施の形態に係る外張断熱建築物用ブラケットは、水平な第１プレートに段差が設けられている点を除いて、外張断熱建築物用ブラケット１０と実質的に同一の構成を有している。
【００２１】
すなわち、外張断熱建築物用ブラケット３０は、台形の第１プレート３２と、第１プレート３２の幅広端に第１プレート３２に対して直交するように連結された第２プレート３４と、第１プレート３２の幅狭端に第１プレート３２に対して直交するように連結された第３プレート３６と、第１プレート３２と第２プレート３４と第３プレート３６とによって構成される空間においてこれらのプレート３２、３４、３６の中央軸線に沿って配置されたリブプレート３８とを備えており、第１プレート３２の上面には、中央軸線に沿って延びた段差３２ａが設けられている。
【００２２】
図９及び図１０は、本発明の第４の実施の形態に係る外張断熱建築物用ブラケットを示した図である。図９において全体として参照符号４０で示される本発明の第４の実施の形態に係る外張断熱建築物用ブラケットは、一方の側に、横胴縁材を保持するための部分を備えている点を除いて、外張断熱建築物用ブラケット１０と実質的に同一の構成を有している。
【００２３】
すなわち、外張断熱建築物用ブラケット４０は、台形の第１プレート４２と、第１プレート４２の幅広端に第１プレート４２に対して直交するように連結された第２プレート４４と、第１プレート４２の幅狭端に第１プレート４２に対して直交するように連結された第３プレート４６と、第３プレート４６の上下端に第１プレート４２から遠ざかる方へ延びるように間隔を隔てて取り付けられた一対のプレート４７と、第１プレート４２と第２プレート４４と第３プレート４６とによって構成される空間においてこれらのプレート４２、４４、４６の中央軸線に沿って配置されたリブプレート４８とを備えている。第３プレート４６と一対のプレート４７とによって構成されるコ字形の空間は、横胴縁材を保持するための部分となる。
【００２４】
なお、第２プレート２４、３４、４４は、全体としてＴ字形の形状を有しており、第２プレート２４、３４，４４には、外張断熱建築物用ブラケット２０、３０、４０を支持部材に固定するための複数のビス用孔２４ａ、３４ａ、４４ａがそれぞれ設けられている。また、第３プレート２６、４６はそれぞれ、矩形の形状を有している（第３プレート３６は、図８（ｂ）に最も良く示されるように、段差３２ａに合わせて、一辺に切り欠きが設けられている）。外張断熱建築物用ブラケット２０、３０、４０は、外張断熱建築物用ブラケット１０と同様に、好ましくは、プラスチック等の合成樹脂材料で一体成形されている。なお、第２プレート２４、３４、４４も、第１プレート１４と同様に、図２（ｄ）に示されるように、不等辺六角形の形状にしてもよい。
【００２５】
図１１は、本発明の外張断熱建築物用ブラケットを組み合わせて使用する例を示した斜視図である。すなわち、図１１（ａ）は、外張断熱建築物用ブラケット１０を背中合わせに組み合わせて用いる例が示され、図１１（ｂ）は、外張断熱建築物用ブラケット２０を背中合わせに組み合わせて用いる例が示され、図１１（ｃ）は、外張断熱建築物用ブラケット３０を背中合わせに組み合わせて用いる例が示され、図１１（ｄ）は、外張断熱建築物用ブラケット３０と（段差付き）外張断熱建築物用ブラケット４０を背中合わせに組み合わせて用いる例が示されている。なお、これらの組み合わせの例は例示的なものであり、必要に応じて、これら以外の組み合わせを用いてもよい。
【００２６】
図１２は、専用の吹込装置により綿状の断熱材（例えば、ロックウール）を壁の空隙に吹き込んで断熱材層を形成する吹込工法（ブローイング工法）を用いる場合において、外張断熱建築物用ブラケット１０を利用した例を示した図である。吹込工法では、空隙に吹き込まれた断熱材が自重で沈下し所期の断熱性能の低下を招き、また施工効率の悪化の一因となっていたが、隣接する外張断熱建築物用ブラケット１０間に断熱材落下防止材１９を水平に掛け渡した後に断熱材を吹き込むことによって、断熱材落下防止材１９が断熱材の沈下を防止する役目を果たし、施工効率の向上をもたらすとともに、所期の断熱性能の保持と水平耐力を増加させるという二次的効果も得られる。断熱材落下防止材は、複数本（図１２では２本）１９′によって構成してもよい。なお、図１２に示す例では、外張断熱建築物用ブラケット１０が使用されているが、他の外張断熱建築物用ブラケット２０、３０、４０を使用してもよく、図１１に例示したように、外張断熱建築物用ブラケット１０、２０、３０、４０を組み合わせた場合においても断熱材落下防止材１９、１９′を用いてもよい。
【００２７】
図１３は、本発明の外張断熱建築物用ブラケットを屋根の施工に使用する例を示した図である。まず、屋根の構造用面材の所定箇所に、外張断熱建築物用ブラケット２０をビスで固定する（図１３（ａ）参照）。次いで、断熱材を配置する（図１３（ｂ）参照）。次いで、外張断熱建築物用ブラケット２０の先端に垂木材をはめ込む（図１３（ｃ）参照）。最後に、屋根材を配置し、垂木材にビス止めする（図１３（ｄ）参照）。
【００２８】
本発明は、以上の発明の実施の形態に限定されることなく、特許請求の範囲に記載された発明の範囲内で、種々の変更が可能であり、それらも本発明の範囲内に包含されるものであることはいうまでもない。
【００２９】
たとえば、前記実施の形態では、主として外張断熱建築物の壁工事に関連して使用態様が説明されているが、本発明の外張断熱建築物用ブラケットを屋根工事にも使用することができる。また、図示されている外張断熱建築物用ブラケットの各部の寸法や縦横比などは、単なる例示的なものにすぎない。
【符号の説明】
【００３０】
１０ 外張断熱建築物用ブラケット（第１の実施形態）
１２ 第１プレート
１４ 第２プレート
１４ａ  ビス用孔
１６ 第３プレート
１８ リブプレート
１９、１９′  断熱材落下防止材
２０ 外張断熱建築物用ブラケット（第２の実施形態）
２２ 第１プレート
２４ 第２プレート
２４ａ  ビス用孔
２６ 第３プレート
２７ 一対のプレート
２８ リブプレート
３０ 外張断熱建築物用ブラケット（第３の実施形態）
３２ 第１プレート
３２ａ  段差
３４ 第２プレート
３４ａ  ビス用孔
３６ 第３プレート
３８ リブプレート
４０ 外張断熱建築物用ブラケット（第４の実施形態）
４２ 第１プレート
４４ 第２プレート
４４ａ  ビス用孔
４６ 第３プレート
４７ 一対のプレート
４８ リブプレート
【要約】
【課題】  幅厚の断熱材を収容することができる外張断熱建築物用ブラケットを提供することである。
【解決手段】  台形の第１プレート（１２）と、第１プレートの幅広端に第１プレートに対して直交するように連結された第２プレート（１４）と、第１プレートの幅狭端に第１プレートに対して直交するように連結された第３プレート（１６）と、各プレートによって構成される空間において、これらのプレートの中央軸線に沿って配置されたリブプレート（１８）とを備えていることを特徴とする外張断熱建築物用ブラケット（１０）が提供される。
【選択図】  図１【図１】
0005872078.tif 000002
【図２】
0005872078.tif 000003
【図３】
0005872078.tif 000004
【図４】
0005872078.tif 000005
【図５】
0005872078.tif 000006
【図６】
0005872078.tif 000007
【図７】
0005872078.tif 000008
【図８】
0005872078.tif 000009
【図９】
0005872078.tif 000010
【図１０】
0005872078.tif 000011
【図１１】
0005872078.tif 000012
【図１２】
0005872078.tif 000013
【図１３】
0005872078.tif 000014